(57)【要約】【課題】充電状況を判断することができ、電器が充分に充電されると、電力を自動的に遮断可能な節電充電器を提供する。【解決手段】交流電力入力端２０と、電力遮断スイッチ３０と、電源変換インターフェース４０と、直流電力出力充電端５０と、監視制御インターフェース６０と、充電制御スイッチ７０と、を含み、交流電力入力端は、交流電源と電気的に連接し、電力遮断スイッチは、交流電力入力端と電気的に連接し、電源変換インターフェースは、電力遮断スイッチと電気的に連接し、直流電力出力充電端は、電源変換インターフェースと電気的に連接し、監視制御インターフェースは、電力遮断スイッチ、電源変換インターフェース及び直流電力出力充電端と電気的に連接し、互いに接続する、監視ユニット６１と、比較判断ユニット６２と、制御ユニット６３と、を含み、充電制御スイッチは、監視制御インターフェースと電気的に連接する。【選択図】図３
0003161933.tif 000002
【実用新案登録請求の範囲】
【請求項１】
交流電力入力端と、電力遮断スイッチと、電源変換インターフェースと、直流電力出力充電端と、監視制御インターフェースと、充電制御スイッチと、を含み、
前記交流電力入力端は、交流電源と電気的に連接し、
前記電力遮断スイッチは、前記交流電力入力端と電気的に連接し、
前記電源変換インターフェースは、前記電力遮断スイッチと電気的に連接し、且つ前記電力遮断スイッチは、前記交流電力入力端と前記電源変換インターフェースとの間に設けられ、前記交流電力入力端および前記電源変換インターフェースと電気的に連接し、前記電源変換インターフェースは交流電力を直流電力に変換して出力するものであり、
前記直流電力出力充電端は、前記電源変換インターフェースと電気的に連接し、前記電源変換インターフェースからの直流電力を出力するためのものであり、前記直流電力出力充電端に充電したい電器と充電池とを電気的に連接することにより、充電したい電器と充電池とを充電することができ、
前記監視制御インターフェースは、前記電力遮断スイッチ、前記電源変換インターフェース及び前記直流電力出力充電端と電気的に連接し、互いに接続する、監視ユニットと、比較判断ユニットと、制御ユニットと、を含む一方、
前記監視ユニットは、前記直流電力出力充電端の充電電流の大きさを監視し、
前記比較判断ユニットは充電の状況を判断し、
前記制御ユニットは、前記比較判断ユニットによる判断結果によって、前記電力遮断スイッチのオン・オフを制御し、
前記充電制御スイッチは、前記監視制御インターフェースと電気的に連接し、前記電力遮断スイッチのオン・オフを制御することにより、前記交流電力入力端と前記電源変換インターフェースの電気的な連接状態を制御可能であることを特徴とする、節電充電器。
【請求項２】
前記電源変換インターフェースは、互いに接続する、整流ユニットと、平滑ユニット、変圧ユニットと、定電圧ユニットと、を含み、
交流電力が前記整流ユニットに整流されて、前記平滑ユニットに平滑されて、前記変圧ユニットに変圧されて、前記定電圧ユニットに定電圧されることを特徴とする、請求項１に記載の節電充電器。
【請求項３】
前記整流ユニットにより、交流電力がブリッジ整流されることを特徴とする、請求項２に記載の節電充電器。
【請求項４】
前記平滑ユニットはπ形平滑をするものであることを特徴とする、請求項２に記載の節電充電器。
【考案の詳細な説明】
【技術分野】
【０００１】
本考案は、充電器に関し、特に、節電充電器に関するものである。
【背景技術】
【０００２】
科学技術の進展により、各種類の便利な電器が開発されて市販されている。一方、電器を使用するときに電力の供給が必要であり、電力が直流と交流とに分けられる。交流電力が一般の公共用電力である。すなわち、公共用電力のコンセントに電器のプラグを挿入することにより、交流電力が電器に供給される。他方、直流電力が電池による電力であり、例えば、携帯電話などの携帯式電器が電池からの電力を利用する。携帯電話の電池は重複的に充電可能である。
【０００３】
従来の充電方法１０は、図１及び図２に示すように、充電電器１１に充電回路１２が電気的に連接され、充電回路１２が入力電源１３と電気的に連接する。充電回路１２は一般の変圧器である。充電電器１１と充電回路１２と入力電源１３とを電気的に連接すると、充電電器１１は充電することができる。充電電器１１は制御スイッチ１４と電気的に連接し、制御スイッチ１４は一般の電源スイッチである。理想的な状況は、充電電器１１が充分に充電された後、ユーザは制御スイッチ１４をオフにし、制御スイッチ１４がオフされると、入力電源１３の充電電器１１に対する充電が停止される。しかし、実際に、ユーザは何時も制御スイッチ１４の傍にいることができないため、充電電器１１が充分に充電されても、制御スイッチ１４がオフされないため、電力が持続的に消費されるようになる。
【考案の概要】
【考案が解決しようとする課題】
【０００４】
本考案の主な目的は、充電状況を判断することができ、電器が充分に充電されると、電力を自動的に遮断可能な節電充電器を提供することにある。
【課題を解決するための手段】
【０００５】
本考案の節電充電器によると、交流電力入力端と、電力遮断スイッチと、電源変換インターフェースと、直流電力出力充電端と、監視制御インターフェースと、充電制御スイッチと、を含み、前記交流電力入力端は、交流電源と電気的に連接し、前記電力遮断スイッチは、前記交流電力入力端と電気的に連接し、前記電源変換インターフェースは、前記電力遮断スイッチと電気的に連接し、且つ前記電力遮断スイッチは、前記交流電力入力端と前記電源変換インターフェースとの間に設けられ、前記交流電力入力端および前記電源変換インターフェースと電気的に連接し、前記電源変換インターフェースは交流電力を直流電力に変換して出力するものであり、前記直流電力出力充電端は、前記電源変換インターフェースと電気的に連接し、前記電源変換インターフェースからの直流電力を出力するためのものであり、前記直流電力出力充電端に充電したい電器と充電池とを電気的に連接することにより、充電したい電器と充電池とを充電することができ、前記監視制御インターフェースは、前記電力遮断スイッチ、前記電源変換インターフェース及び前記直流電力出力充電端と電気的に連接し、互いに接続する、監視ユニットと、比較判断ユニットと、制御ユニットと、を含み、前記監視ユニットは、前記直流電力出力充電端の充電電流の大きさを監視し、前記比較判断ユニットは充電の状況を判断し、前記制御ユニットは、前記比較判断ユニットによる判断結果によって、前記電力遮断スイッチのオン・オフを制御し、前記充電制御スイッチは、前記監視制御インターフェースと電気的に連接し、前記電力遮断スイッチのオン・オフを制御することにより、前記交流電力入力端と前記電源変換インターフェースの電気的な連接状態を制御可能であることを特徴とする。
【０００６】
本考案の節電充電器によると、前記電源変換インターフェースは、互いに接続する、整流ユニットと、平滑ユニット、変圧ユニットと、定電圧ユニットと、を含み、交流電力が、前記整流ユニットに整流されて、前記平滑ユニットに平滑されて、前記変圧ユニットに変圧されて、前記定電圧ユニットに定電圧されることを特徴とする。
【０００７】
本考案の節電充電器によると、前記整流ユニットにより、交流電力がブリッジ整流されることを特徴とする。
【０００８】
本考案の節電充電器によると、前記平滑ユニットはπ形平滑をするものであることを特徴とする。
【考案の効果】
【０００９】
本考案の節電充電器によれば、充電状況を判断することができ、電器が充分に充電されると、電力を自動的に遮断することができるという効果を有する。
【図面の簡単な説明】
【００１０】
【図１】従来の充電器の構成を示すブロック図である。
【図２】従来の充電器の使用状態を示す模式図である。
【図３】本考案の節電充電器の構成を示すブロック図である。
【図４】本考案の節電充電器の使用プロセスを示すフローチャートである。
【考案を実施するための最良の形態】
【００１１】
以下、本考案の実施の形態を図面に基づいて説明する。
まず、図３及び図４を参照する。本考案の節電充電器は、交流電力入力端２０（本実施例では、プラグである。）と、電力遮断スイッチ３０と、電源変換インターフェース４０と、直流電力出力充電端５０と、監視制御インターフェース６０と、充電制御スイッチ７０と、を含む。
【００１２】
交流電力入力端２０は、交流電源と電気的に連接する。電力遮断スイッチ３０は、交流電力入力端２０と電気的に連接し、ターンオフサイリスタでもよい。
【００１３】
電源変換インターフェース４０は、電力遮断スイッチ３０と電気的に連接し、且つ電力遮断スイッチ３０は、交流電力入力端２０と電源変換インターフェース４０との間に設けられ、交流電力入力端２０および電源変換インターフェース４０と電気的に連接する。電源変換インターフェース４０は、互いに接続する、整流ユニット４１と、平滑ユニット４２、変圧ユニット４３と、定電圧ユニット４４と、を含む。交流電力入力端２０と電源変換インターフェース４０を電気的に連接すると、交流電力入力端２０からの交流電力は、整流ユニット４１にブリッジ整流されて、平滑ユニット４２に平滑されて、変圧ユニット４３に変圧されて、定電圧ユニット４４に定電圧される。電源変換インターフェース４０は交流電力を直流電力に変換して出力するものである。
【００１４】
直流電力出力充電端５０は、電源変換インターフェース４０と電気的に連接し、電源変換インターフェース４０からの直流電力を出力するためのものである。直流電力出力充電端５０に、充電したい電器と充電池とを電気的に連接することにより、充電したい電器と充電池とを充電することができる。
【００１５】
監視制御インターフェース６０は、電力遮断スイッチ３０、電源変換インターフェース４０及び直流電力出力充電端５０と電気的に連接し、互いに接続する、監視ユニット６１と、比較判断ユニット６２と、制御ユニット６３と、を含む。監視ユニット６１は、直流電力出力充電端５０の充電電流の大きさを監視する。比較判断ユニット６２は充電の状況を判断する。比較判断ユニット６２により、電源変換インターフェース４０から電流が持続に出力することを判断した場合には、制御ユニット６３によって電力遮断スイッチ３０をオンにすることにより、交流電力入力端２０と電源変換インターフェース４０とを電気的に連接する。なお、比較判断ユニット６２により、電源変換インターフェース４０からの電流が小さくなり、又は無くなることを判断した場合には、制御ユニット６３によって電力遮断スイッチ３０をオフにすることにより、交流電力入力端２０と電源変換インターフェース４０とを電気的に連接しないようにする。
【００１６】
充電制御スイッチ７０は、監視制御インターフェース６０と電気的に連接し、電力遮断スイッチ３０のオン・オフを制御することにより、交流電力入力端２０と電源変換インターフェース４０の電気的な連接状態を制御可能である。内蔵の３ボルトの電池により、充電制御スイッチ７０は、手動で電力遮断スイッチ３０のオン・オフを切替えることができる。
【００１７】
図４を参照しながら、本考案の節電充電器の使用方法を説明する。まず、市電のコンセントに交流電力入力端２０を挿入して、直流電力出力充電端５０に充電したい電器と充電池とを電気的に連接して、充電制御スイッチ７０をオンにし、充電制御スイッチ７０が交流電力入力端２０と電源変換インターフェース４０の電気的な連接状態を制御するものであるため、充電制御スイッチ７０をオンにすると、交流電力入力端２０と電源変換インターフェース４０とが電気的に連接するようになり、交流電流が電源変換インターフェース４０に流入する。次に、電源変換インターフェース４０により、交流電力入力端２０からの交流電力は、整流ユニット４１にブリッジ整流されて、平滑ユニット４２に平滑されて、変圧ユニット４３に変圧されて、定電圧ユニット４４に定電圧されて、直流電力になる。その後、電力遮断スイッチ３０、電源変換インターフェース４０及び直流電力出力充電端５０と電気的に連接し、互いに接続する、監視ユニット６１と、比較判断ユニット６２と、制御ユニット６３と、を含む監視制御インターフェース６０により、監視ユニット６１によって直流電力出力充電端５０の充電電流の大きさを監視し、比較判断ユニット６２によって充電の状況を判断する。比較判断ユニット６２により、電源変換インターフェース４０から電流が持続に出力することを判断した場合には、制御ユニット６３によって電力遮断スイッチ３０をオンにすることにより、交流電力入力端２０と電源変換インターフェース４０とを電気的に連接する。なお、比較判断ユニット６２により、電源変換インターフェース４０からの電流が小さくなり、又は無くなることを判断した場合には、制御ユニット６３によって電力遮断スイッチ３０をオフにすることにより、交流電力入力端２０と電源変換インターフェース４０とを電気的に連接しないようにする。
【００１８】
上記の説明から明らかなように、直流電力出力充電端５０に充電したい電器と充電池とを電気的に連接して、充電したい電器と充電池とを充電しているときには、監視制御インターフェース６０が充電の状況を監視し、監視制御インターフェース６０により、充電したい電器と充電池とが充分に充電すると判断した場合には、充電したい電器と充電池とへの電流が自動的に遮断され、電力の消費を節約することができる。
【産業上の利用可能性】
【００１９】
本考案は、充電器に適用することができる。
【符号の説明】
【００２０】
１０：充電方法、１１：充電器、１２：充電回路、１３：入力電源、１４：制御スイッチ、２０：交流電力入力端、３０：電力遮断スイッチ、４０：電源変換インターフェース、４１：整流ユニット、４２：平滑ユニット、４３：変圧ユニット、４４：定電圧ユニット、５０：直流電力出力充電端、６０：監視制御インターフェース、６１：監視ユニット、６２：比較判断ユニット、６３：制御ユニット、７０：充電制御スイッチ。
【図１】
0003161933.tif 000003
【図２】
0003161933.tif 000004
【図３】
0003161933.tif 000005
【図４】
0003161933.tif 000006